(57)【要約】【課題】番組情報を保持した外部データベースへの自動接続機能を持たない環境であっても、録画済番組リスト上で番組管理を容易に行うこと。【解決手段】録画日時、放送チャンネル及び録画時間で特定する録画時情報タイトルによって録画済番組を管理し、番組情報データベースへアクセスし、データベースにアクセス可能か否かを判別し、録画時情報タイトルによって管理されている番組を抽出し、データベースから録画時情報タイトルに対応する番組情報を読み出す機能を備えた録画番組管理装置であって、録画開始時には、録画日時、放送チャンネル及び録画時間で特定する録画時情報タイトルによって録画済番組を管理し、データベースにアクセス可能となったときに、データベースから録画時情報タイトルに対応する放送番組情報を読み出し、録画済番組リストにおける録画時情報タイトルを放送番組情報中の番組タイトルに付け替えること。【選択図】        図２
2004336356.tif 000002
【特許請求の範囲】
【請求項１】
放送番組を録画する手段と、録画日時、放送チャンネル及び録画時間で特定する録画時情報タイトルによって録画済番組を管理する手段と、外部の放送番組情報データベースへアクセスする手段と、前記データベースにアクセス可能な状態であるか否かを判別する手段と、録画済番組リストのうちでタイトルが前記録画時情報タイトルによって管理されている放送番組を抽出する手段と、前記データベースから前記録画時情報タイトルに対応する放送番組情報を読み出す手段と、を備えた録画番組管理装置であって、
録画開始時には、録画日時、放送チャンネル及び録画時間で特定する録画時情報タイトルによって録画済番組を管理し、
前記データベースにアクセス可能となったときに、前記データベースから前記録画時情報タイトルに対応する前記放送番組情報を読み出し、
前記録画済番組リストにおける前記録画時情報タイトルを前記放送番組情報中の番組タイトル及び／又は番組の詳細情報に付け替える
ことを特徴とする録画番組管理装置。
【請求項２】
放送番組を録画する手段と、録画日時、放送チャンネル及び録画時間で特定する録画時情報タイトルによって録画済番組を管理する手段と、外部の放送番組情報データベースへアクセスする手段と、前記データベースにアクセス可能な状態であるか否かを判別する手段と、前記録画時情報タイトルによって録画済番組が管理されていることを表すタイトル管理フラグを付加する手段と、録画済番組リストのうちで前記タイトル管理フラグが付加されている放送番組を抽出する手段と、前記データベースから前記録画時情報タイトルに対応する番組情報を読み出す手段と、を備えた録画番組管理装置であって、
録画開始時には、録画日時、放送チャンネル及び録画時間で特定する録画時情報タイトルによって録画済番組を管理し、
前記データベースにアクセス可能となったときに、前記抽出されたタイトル管理フラグの付加された録画済番組の前記録画時情報タイトルに対応する前記放送番組情報を前記データベースから読み出し、
前記録画済番組リストにおける前記録画時情報タイトルを前記番組情報中の番組タイトル及び／又は番組の詳細情報に付け替える
ことを特徴とする録画番組管理装置。
【請求項３】
請求項１又は２において、
前記データベースから前記録画時情報タイトルに対応した前記放送番組情報を読み出す際に、録画済番組が複数の放送番組に亘っていた場合、前記読み出した放送番組情報に基づいて、前記録画済番組をそれぞれ独立した１つの放送番組に分割し、前記分割した各放送番組に前記番組タイトル及び／又は番組の詳細情報複数を与えて管理することを特徴とする録画番組管理装置。
【請求項４】
請求項１、２、３又は４において、
録画不要な放送番組のジャンルを指定する手段を備え、
前記録画済番組リストにおける前記録画時情報タイトルを前記番組情報中の番組タイトル及び／又は番組の詳細情報に付け替えた後に、前記ジャンル指定された放送番組を消去することを特徴とする録画番組管理装置。
【請求項５】
放送番組を録画する手段と、録画日時、放送チャンネル及び録画時間で特定する録画時情報タイトルによって録画済番組を管理する手段と、外部の放送番組情報データベースへアクセスする手段と、前記データベースにアクセス可能な状態であるか否かを判別する手段と、録画済番組リストのうちでタイトルが前記録画時情報タイトルによって管理されている放送番組を抽出する手段と、前記データベースから前記録画時情報タイトルに対応する放送番組情報を読み出す手段と、を備えて録画済番組を管理する方法であって、
録画開始時には、録画日時、放送チャンネル及び録画時間で特定する録画時情報タイトルによって録画済番組を管理するステップと、
前記データベースにアクセス可能となったときに、前記データベースから前記録画時情報タイトルに対応する前記放送番組情報を読み出すステップと、
前記録画済番組リストにおける前記録画時情報タイトルを前記放送番組情報中の番組タイトル及び／又は番組の詳細情報に付け替えるステップと、からなる
ことを特徴とする録画番組管理方法。
【請求項６】
放送番組を録画する手段と、録画日時、放送チャンネル及び録画時間で特定する録画時情報タイトルによって録画済番組を管理する手段と、外部の放送番組情報データベースへアクセスする手段と、前記データベースにアクセス可能な状態であるか否かを判別する手段と、前記録画時情報タイトルによって録画済番組が管理されていることを表すタイトル管理フラグを付加する手段と、録画済番組リストのうちで前記タイトル管理フラグが付加されている放送番組を抽出する手段と、前記データベースから前記録画時情報タイトルに対応する番組情報を読み出す手段と、を備えて録画済番組を管理する方法であって、
録画開始時には、録画日時、放送チャンネル及び録画時間で特定する録画時情報タイトルによって録画済番組を管理するステップと、
前記データベースにアクセス可能となったときに、前記抽出されたタイトル管理フラグの付加された録画済番組の前記録画時情報タイトルに対応する前記放送番組情報を前記データベースから読み出すステップと、
前記録画済番組リストにおける前記録画時情報タイトルを前記番組情報中の番組タイトル及び／又は番組の詳細情報に付け替えるステップと、からなる
ことを特徴とする録画番組管理方法。
【発明の詳細な説明】
【０００１】
【発明の属する技術分野】
本発明は、テレビ放送の録画済番組のタイトル管理装置及び方法に関するものである。
【０００２】
【従来の技術】
テレビ放送番組の録画内容の管理方法における従来技術として、ビデオレコーダは、回線を介して番組表を有する情報ファイルにアクセスして番組表をモニターに表示し録画予約操作を実行し、録画完了後に録画番組の詳細管理情報を録画媒体の見出し領域に格納し、この管理情報を利用することが知られている（例えば、特許文献１を参照）。
【０００３】
【特許文献１】
特開平１１−３０８５６１号公報
【０００４】
【発明が解決しようとする課題】
上述の特許文献１に開示された録画番組管理方法は、録画予約時または放送番組の手動録画開始時に、管理情報を利用するために情報ファイル又はデータベースへ自動的に接続するものであった。
【０００５】
このような場合、ネットワーク回線不具合や手動接続ネットワーク環境である等により、録画予約時あるいは手動録画開始時にデータベース情報が得られなかった場合、録画済番組には「日時、チャンネル、録画時間」等の録画時情報タイトルが付与され、録画終了後にユーザーが手動で番組タイトルを付け替える必要があった。
【０００６】
また、視聴中の番組を録画する際、放送時間の変動を見越して、目的の番組の放送時間に対して充分長めの録画設定を行った場合、複数の番組を１本の番組として録画してしまうため、録画終了後に手動で番組を切り分け、番組タイトルを手動で入力する必要があった。また、録画された番組の中に不要な番組があった場合、手動で削除する必要があった。このように、従来技術では、録画の番組タイトルを使用して録画番組を管理しようとすると、多大の手間と労力が掛かり使い勝手に課題があった。
【０００７】
本発明の目的は、番組情報を保持した外部データベースへの自動接続機能を持たない環境であっても、録画済番組リスト上で番組管理を容易に行うことのできる録画番組管理手法を提供することにある。
【０００８】
【課題を解決するための手段】
前記課題を解決するために、本発明は主として次のような構成を採用する。  放送番組を録画する手段と、録画日時、放送チャンネル及び録画時間で特定する録画時情報タイトルによって録画済番組を管理する手段と、外部の放送番組情報データベースへアクセスする手段と、前記データベースにアクセス可能な状態であるか否かを判別する手段と、録画済番組リストのうちでタイトルが前記録画時情報タイトルによって管理されている放送番組を抽出する手段と、前記データベースから前記録画時情報タイトルに対応する放送番組情報を読み出す手段と、を備えた録画番組管理装置であって、
録画開始時には、録画日時、放送チャンネル及び録画時間で特定する録画時情報タイトルによって録画済番組を管理し、
前記データベースにアクセス可能となったときに、前記データベースから前記録画時情報タイトルに対応する前記放送番組情報を読み出し、
前記録画済番組リストにおける前記録画時情報タイトルを前記放送番組情報中の番組タイトル及び／又は番組の詳細情報に付け替える構成とする。
【０００９】
また、放送番組を録画する手段と、録画日時、放送チャンネル及び録画時間で特定する録画時情報タイトルによって録画済番組を管理する手段と、外部の放送番組情報データベースへアクセスする手段と、前記データベースにアクセス可能な状態であるか否かを判別する手段と、前記録画時情報タイトルによって録画済番組が管理されていることを表すタイトル管理フラグを付加する手段と、録画済番組リストのうちで前記タイトル管理フラグが付加されている放送番組を抽出する手段と、前記データベースから前記録画時情報タイトルに対応する番組情報を読み出す手段と、を備えた録画番組管理装置であって、
録画開始時には、録画日時、放送チャンネル及び録画時間で特定する録画時情報タイトルによって録画済番組を管理し、
前記データベースにアクセス可能となったときに、前記抽出されたタイトル管理フラグの付加された録画済番組の前記録画時情報タイトルに対応する前記放送番組情報を前記データベースから読み出し、
前記録画済番組リストにおける前記録画時情報タイトルを前記番組情報中の番組タイトル及び／又は番組の詳細情報に付け替える構成とする。
【００１０】
このような構成を採用することによって、本発明は、ネットワークを経由した外部データベースへの自動接続機能を持たない環境においても、「日時＋チャンネル＋録画時間」のタイトルで録画された番組タイトルが自動的に正規の番組タイトルに設定されるため、録画済番組リスト上での管理を容易とすることができる。
【００１１】
【発明の実施の形態】
本発明の実施形態に係る録画番組管理装置及び方法について、図１〜図８を参照しながら以下説明する。図１は本発明の実施形態に係る録画番組管理装置の全体構成の概要を示す図であり、図２は本実施形態に係る録画番組管理方法の一つの手順を示すフローチャートであり、図３は本実施形態に係る録画番組管理方法の他の手順を示すフローチャートである。
【００１２】
また、図４は本実施形態に関する、「日時＋チャンネル＋録画時間」で管理された録画済番組リストを示す図であり、図５は本実施形態に関する、正規の番組タイトルに付け替えられた録画済番組リストを示す図であり、図６は本実施形態に関する、タイトル管理フラグ情報を含んだ「日時＋チャンネル＋録画時間」で管理された録画済番組リストを示す図である。また、図７は本実施形態に係る録画番組管理における一つの管理態様を示す動作説明図であり、図８は本実施形態に係る録画番組管理における他の管理態様を示す動作説明図である。
【００１３】
図１において、本発明の実施形態に係る録画番組管理装置の全体構成は、放送番組を受信するチューナー１０１と、コントローラ１０２と、外部データベース１０４との通信を行うインターフェース回路１０３と、装置の操作を行う入力装置１０５と、番組の録画再生を行うメディア１０６と、番組を出力するモニタ１０７と、を備えていて、番組情報を保持している外部データベース１０４と接続されている。
【００１４】
次に、本発明の実施形態に係る録画番組管理方法の一つの手順について、図２、図４及び図５を参照しながら説明する。ユーザーにより録画が行われると、録画管理装置は、録画時の「日時＋チャンネル＋録画時間」情報に基づいたタイトルを与えて管理するため、図４に示す録画済番組リストが作成される（このリストにおけるタイトルは、録画日時、チャンネル及び録画時間からなる。ステップＳ１）。その後、録画済番組リスト内に前記録画時情報タイトルを持つ番組が存在するかどうかを判別し（ステップＳ２）、存在する場合（ステップＳ３）、装置がインターフェース回路１０３を経由して、番組情報を保持している外部のデータベース１０４にアクセス可能かどうかを検出する（ステップＳ４）。アクセス可能である場合（ステップＳ５）、データベース１０４より前記録画済番組に対応する情報であるタイトル等を読み出し（ステップＳ６）、タイトルを「日時＋チャンネル＋録画時間」から、正規の番組タイトル（例えば、プロジェクトχ）に付け替える（ステップＳ７）。この結果、図５に示されるように正規の番組タイトルで管理されることが可能となる。ここで、データベースからは正規の番組タイトルに加えて、出演者等の詳細情報を読み出して図５のタイトル欄に付加しても良い。
【００１５】
次に、本発明の実施形態に係る録画番組管理方法の他の手順について、図３、図５及び図６を参照しながら説明する。ユーザーにより録画が行われると、録画管理装置は、録画開始時の「日時＋チャンネル＋録画時間」情報に基づいたタイトルと、図６の左端に示すような、ｆ欄のタイトル管理フラグを与えて管理するため、図６に示す録画済番組リストが作成される（ステップＳ１）。その後、録画済番組リスト内に前記タイトル管理フラグを持つ番組が存在するかどうかを判別し（ステップＳ２）、存在する場合（ステップＳ３）、装置が通信インターフェース回路１０３を経由して、番組情報を保持している外部のデータベース１０４にアクセス可能かどうかを検出する（ステップＳ４）。アクセス可能である場合（ステップＳ５）、データベース１０４より前記録画済番組に対応する情報であるタイトル等を読み出し（ステップＳ６）、タイトルを「日時＋チャンネル＋録画時間」から、正規の番組タイトル（例えば、クイズ侃々諤々）に付け替えると共にタイトル管理フラグを消去する（ステップＳ７）。この結果、図５に示されるように正規の番組タイトルで管理されることが可能となる。
【００１６】
次に、本実施形態に係る録画番組管理における一つの管理態様について図７を参照しながら説明する。図７において、符号７０１に示すとおり、ユーザーが１８：３６から２０：３６までの２時間にわたり、８ｃｈを録画すると、録画済番組リスト７０２が作成される。
【００１７】
このとき、外部データベース１０４上にある番組表が７０３の内容であった場合、録画済の２時間番組は３本の番組から構成されていることがわかるため、１８：３６〜１９：００、１９：００〜２０：００、２０：００〜２０：３６の３本の番組に分割し、１８：３６〜１９：００までを「クイズ侃々諤々」、１９：００〜２０：００までを「パソコンサンデー」、２０：００〜２０：３６までを「プロジェクトχ」とタイトルを付けなおす。以上の動作により、ユーザーが１本の２時間番組として録画した番組を、それぞれ独立した３本の番組として管理することが可能となる。
【００１８】
次に、本実施形態に係る録画番組管理における他の管理態様について図８を参照しながら説明する。ユーザーは入力装置１０５を用いて、予め録画不要な番組ジャンルをコントローラ１０２に対して指定する。図８の例では「天気予報」と「ニュース」を録画不要番組として指定している。その後、符号８０１に示すとおり、ユーザーが１８：３６から２０：３６までの２時間にわたり、８ｃｈを録画すると、録画済番組リスト８０２が作成される。
【００１９】
このとき、外部データベース１０４上にある番組表が８０３の内容であった場合、録画済の２時間番組は５本の番組から構成されていることがわかるため、１８：３６〜１８：５４、１８：５４〜１９：００、１９：００〜１９：５４、１９：５４〜２０：００、２０：００〜２０：３６の５本の番組に分割し、１８：３６〜１８：５４までを「クイズ侃々諤々」、１８：５４〜１９：００までを「天気予報」、１９：００〜１９：５４までを「パソコンサンデー」、１９：５４〜２０：００までを「ニュース」、２０：００〜２０：３６までを「プロジェクトχ」とタイトルを付けなおすことにより、ユーザーが１本の２時間番組として録画した番組を、それぞれ独立した５本の番組として分割可能となる。
【００２０】
その後、予め指定してある録画不要番組ジャンルに従い、「天気予報」と「ニュース」を削除する。以上の動作により、１本の２時間の番組として録画された内容を、それぞれ独立した３本の番組として管理することが可能となり、また、６分の不要番組２本を削除することで１２分の録画可能領域を確保することが可能となる。
【００２１】
以上説明したように、本発明の実施形態は次のような構成を有することを特徴としている。即ち、番組録画時に録画済番組に対して「録画日時、放送チャンネル、録画時間」の録画時情報タイトルを与えて管理し、録画済番組リスト中の前記録画時情報タイトルを持つ番組を抽出し、装置が外部データベースへアクセス可能となったことを検出して、これに相当する番組情報をデータベースから読み出し、正規の番組タイトルや出演者等の詳細情報に付け替える構成である。
【００２２】
また、番組を録画する際、各録画番組に対してタイトルが前記録画時情報タイトルで管理されていることを表すタイトル管理フラグを付加し、録画済番組リスト中の前記タイトル管理フラグを持つ番組を抽出し、装置が外部データベースへアクセス可能となったことを検出して、これに相当する番組情報をデータベースから読み出し、正規の番組タイトルや出演者等の詳細情報に付け替える構成である。
【００２３】
また、前記データベースから録画時情報タイトルに応じた番組情報を読み出す際、録画済番組が複数の番組に亘っていた場合、データベースより取得した番組情報に基づき、録画済番組を独立した１番組ずつに分割し、複数の正規番組タイトルに付け替えて管理する構成である。更に、正規タイトルが割り振られた後、予め設定してあるジャンルの番組を自動的に消去する構成である。
【００２４】
【発明の効果】
本発明によれば、ネットワークを経由した外部データベースへの自動接続機能を持たない環境においても、「日時＋チャンネル＋録画時間」のタイトルで録画された番組タイトルが自動的に正規の番組タイトルに設定されるため、録画済番組リスト上での管理が容易となる。
【００２５】
また、外部データベースへの自動接続機能を持つ環境においても、何らかの不具合により、予約時あるいは手動録画時にデータベースアクセスが不可能となり、録画済番組タイトルが「日時＋チャンネル＋録画時間」となった場合でも、データベースアクセス環境が復帰した後、自動的に正規タイトルに設定されるため、録画済番組リスト上での管理が容易となる。
【００２６】
また、視聴中の番組を手動で録画開始し、複数の番組にわたって録画した場合、録画開始部はユーザーの録画目的番組であるが、次の番組以降は不要である可能性がある。また、予約録画時、放送時間の変動を見越して目的の番組の放送時間よりも十分長い設定時間とした場合、前後に不要な番組が録画される。しかしながら、本発明によれば、１本の番組として録画された複数番組は、独立した複数の番組に分割後、正規のタイトルが設定されるため、管理が容易になると共に、録画媒体の空き容量を確保するために不要番組の削除を行う場合にも、不要番組のみを選択して削除することが可能となる。
【００２７】
また、録画済番組の中に、天気予報やニュース等が含まれている場合、予めこれらの番組を録画不要番組として設定しておくことにより、録画終了後に自動的に削除され、録画済番組リスト上に不要な番組が表示されることなく、管理が容易となると共に、録画媒体の空き領域を確保することが可能となる。
【図面の簡単な説明】
【図１】本発明の実施形態に係る録画番組管理装置の全体構成の概要を示す図である。
【図２】本実施形態に係る録画番組管理方法の一つの手順を示すフローチャートである。
【図３】本実施形態に係る録画番組管理方法の他の手順を示すフローチャートである。
【図４】本実施形態に関する、「日時＋チャンネル＋録画時間」で管理された録画済番組リストを示す図である。
【図５】本実施形態に関する、正規の番組タイトルに付け替えられた録画済番組リストを示す図である。
【図６】本実施形態に関する、タイトル管理フラグ情報を含んだ「日時＋チャンネル＋録画時間」で管理された録画済番組リストを示す図である。
【図７】本実施形態に係る録画番組管理における一つの管理態様を示す動作説明図である。
【図８】本実施形態に係る録画番組管理における他の管理態様を示す動作説明図である。
【符号の説明】
１０１  放送番組を受信するチューナー
１０２  コントローラ
１０３  外部データベースとの通信を行うインターフェース回路
１０４  番組情報を保持している外部データベース
１０５  装置の操作を行う入力装置
１０６  番組の録画再生を行うメディア
１０７  番組を出力するモニタ
７０１  ユーザーが録画した時間関係図
７０２  ユーザー録画による動作の結果作成された録画済番組リスト
７０３  ユーザー録画動作時の外部データベースが保持している番組リスト
７０４  正規の番組タイトルに付け替えられた録画済番組リスト
８０１  ユーザーが録画した時間関係図
８０２  ユーザー録画による動作の結果作成された録画済番組リスト
８０３  ユーザー録画動作時の外部データベースが保持している番組リスト
８０４  正規の番組タイトルに付け替えられた録画済番組リスト
８０５  不要番組が削除された録画済番組リスト
【図１】
2004336356.tif 000003
【図２】
2004336356.tif 000004
【図３】
2004336356.tif 000005
【図４】
2004336356.tif 000006
【図５】
2004336356.tif 000007
【図６】
2004336356.tif 000008
【図７】
2004336356.tif 000009
【図８】
2004336356.tif 000010